(57)【特許請求の範囲】
【請求項１】
互いに対向する梁材などの構造材間に架け渡され、高さ方向に長い縦長の長方形状に形成され中空部を有する一つの根太と、この根太からその幅方向両側に広がり天井面を構成する天井部材とを、押出形材にて一体形成した
ことを特徴とする根太付天井材。
【請求項２】
前記天井部材は、前記根太の底面または側面からその幅方向に広がる板状部材にて構成された
ことを特徴とする請求項１に記載の根太付天井材。
【請求項３】
前記天井部材は、前記根太の底面または側面からその幅方向両側に広がる一対の板状部材にて構成され、
一方の前記板状部材の先端部に、隣り合う他の根太付天井材の天井部材の板状部材に係合する係合段差部を設けた
ことを特徴とする請求項１に記載の根太付天井材。
【請求項４】
前記根太の中空部の内部に、水平リブが設けられている
ことを特徴とする請求項１乃至請求項３のいずれか１項に記載の根太付天井材。
【請求項５】
前記天井部材は、中空部を有する押出形材にて構成されている
ことを特徴とする請求項１乃至請求項４のいずれか１項に記載の根太付天井材。
【請求項６】
前記根太および前記天井部材は、アルミニウムまたはアルミニウム合金にて形成されている
ことを特徴とする請求項１乃至請求項５のいずれか１項に記載の根太付天井材。
【請求項７】
前記根太の下部に、可動間仕切りを支持する間仕切りレールを移動自在に支持するためのガイドレールが一体形成されている
ことを特徴とする請求項１乃至請求項６のいずれか１項に記載の根太付天井材。
【請求項８】
前記請求項１乃至請求項７のいずれか１項に記載の根太付天井材を、前記根太の幅方向に沿って、複数並列配置させた
ことを特徴とする天井構造。
【発明の詳細な説明】
【技術分野】
【０００１】
本発明は、天井を形成するための根太付天井材およびそれを用いた天井構造に関する。
【背景技術】
【０００２】
従来の天井構造は、梁間に複数の根太を所定のピッチで架け渡し、その根太の下部に天井下地板および天井板を、ビスまたは接着などによって固定するものが一般的であった（例えば、特許文献１参照）。その他に、上階の床スラブや床材を支える床根太などに吊木を所定のピッチで取り付け、吊木の下端に天井野縁を介して天井下地板および天井板を、ビスまたは接着などによって固定する吊り天井型の天井構造もあった（例えば、特許文献２参照）。
【特許文献１】特開２０００−３４７８１号公報
【特許文献２】特開２００４−１１６１２６号公報
【発明の開示】
【発明が解決しようとする課題】
【０００３】
ところで、近年、介護用搬送リフトを支持して移動させるための搬送レール、室内空間を適宜区画して有効利用するための可動間仕切りを支持して移動させるためのガイドレールあるいは収納スペースを確保するための吊下げ型収納ボックスを支持して移動させるためのガイドレールなどを、天井に取り付けることが多くなっている。これらの場合、天井には、介護用搬送リフトおよび被介護人の重さ、可動間仕切りの重量或いは収納ボックスおよび収納物の重量などを支える高い強度が要求される。
【０００４】
しかしながら、従来の天井構造では、根太と天井下地板と天井板、あるいは天井野縁と天井下地板と天井板は、ビスや接着剤によって固定されているので、固定強度は高くない。すなわち、従来の天井構造は、重量物の取付けは想定しておらず、天井表面の天井板あるいは天井下地板に前記搬送レールやガイドレールを取り付けると、天井板あるいは天井下地板は、根太や天井野縁から分離してしまい、前記の荷重を支えることはできない。
【０００５】
ここで、根太に前記搬送レールやガイドレールを根太に直接取り付けることも考えられるが、この場合、搬送レールやガイドレールの設置位置が、根太の設置位置に制限されてしまい、各設備のレイアウトの自由度が低くなり、使い勝手が悪くなってしまうといった問題が発生する。
【０００６】
そこで、本発明は前記の問題を解決するために案出されたものであって、介護用搬送リフト、可動間仕切りや吊下げ型収納ボックスなどの設備機器を吊下げ支持することが可能な強度と剛性を有する根太付天井材およびそれを用いた天井構造を提供することを課題とする。
【課題を解決するための手段】
【０００７】
前記課題を解決するための請求項１に係る発明は、互いに対向する梁材などの構造材間に架け渡され、高さ方向に長い縦長の長方形状に形成され中空部を有する一つの根太と、この根太からその幅方向両側に広がり天井面を構成する天井部材とを、押出形材にて一体形成したことを特徴とする根太付天井材である。
【０００８】
前記構成によれば、天井部材に、介護用搬送リフトの搬送レールや、可動間仕切りや吊下げ型収納ボックスのガイドレールを取り付けても、天井部材が根太から分離することはない。また、根太は構造材に架け渡されているので、各種設備の荷重を構造材に伝達することができる。したがって、かかる根太付天井材は、介護用搬送リフト、可動間仕切りや吊下げ型収納ボックスなどの各種設備を吊下げ支持することが可能な強度と剛性を有することとなる。また、天井部材と根太とは一体であるので、各種設備の荷重は、天井部材から根太へと伝達され、搬送レールやガイドレールの設置位置は、根太の設置位置には制限されず、設計の自由度が向上する。さらに、根太が中空部を有する押出形材にて構成されているので、軽量で高い強度と剛性を保持することができる。さらに、製品精度が高くなるので、隣接する根太付天井材との接合部分にズレが発生することはない。
【０００９】
請求項２に係る発明は、前記天井部材が、前記根太の底面または側面からその幅方向に広がる板状部材にて構成されたことを特徴とする請求項１に記載の根太付天井材である。
【００１０】
前記構成によれば、根太ごとに板状部材からなる天井部材が設けられているので、根太付天井材は、ユニット化された比較的小さい部材となるので、施工や搬送が容易となる。
【００１１】
請求項３に係る発明は、前記天井部材が、前記根太の底面または側面からその幅方向両側に広がる一対の板状部材にて構成され、一方の前記板状部材の先端部に、隣り合う他の根太付天井材の天井部材の板状部材に係合する係合段差部を設けたことを特徴とする請求項１に記載の根太付天井材である。
【００１２】
前記構成によれば、隣接する根太付天井材の板状部材同士が係合段差部で互いに係合することとなるので、施工時の位置決めを容易に行えるとともに、接合部分の段差を無くすことができ、平滑な天井面を提供することができる。
【００１３】
請求項４に係る発明は、前記根太の中空部の内部に、水平リブが設けられていることを特徴とする請求項１乃至請求項３のいずれか１項に記載の根太付天井材である。
【００１４】
前記構成によれば、根太の強度および剛性を効率的に高めることができる。具体的には、根太の曲げ強度向上のために、根太の高さを高くしても、水平リブによって根太の側面板の膨れや凹みを防止できる。また、水平リブを介して、根太付天井材を構造材に接合するようにすれば、位置の決まっている構造材に対して、複数の設置高さを選択することができる。
【００１５】
請求項５に係る発明は、前記天井部材が、中空部を有する押出形材にて構成されていることを特徴とする請求項１乃至請求項４のいずれか１項に記載の根太付天井材である。
【００１６】
前記構成によれば、天井部材が、軽量で高い強度と剛性を保持することができ、根太付天井材全体の強度と剛性を大幅に高めることができる。
【００１７】
請求項６に係る発明は、前記根太および前記天井部材は、アルミニウムまたはアルミニウム合金にて形成されていることを特徴とする請求項１乃至請求項５のいずれか１項に記載の根太付天井材である。
【００１８】
前記構成によれば、軽量で高い強度と剛性を有する根太付天井材を提供できるとともに、アルミニウムまたはアルミニウム合金の質感を生かして、天井部材の表面をそのまま天井の表面仕上げとして利用することもできるので、施工手間が省略される。
【００１９】
請求項７に係る発明は、前記根太の下部に、可動間仕切りを支持する間仕切りレールを移動自在に支持するためのガイドレールが一体形成されていることを特徴とする請求項１乃至請求項６のいずれか１項に記載の根太付天井材である。
【００２０】
前記構成によれば、間仕切りレールがガイドレールに沿って移動するので、室内の区画レイアウトの自由度が高まる。
【００２１】
請求項８に係る発明は、前記請求項１乃至請求項７のいずれか１項に記載の根太付天井材を、前記根太の幅方向に沿って、複数並列配置させたことを特徴とする天井構造である。
【００２２】
前記構成によれば、介護用搬送リフト、可動間仕切りや吊下げ型収納ボックスなどの各種設備を吊下げ支持することが可能な強度と剛性を有する天井構造を提供することができる。
【発明の効果】
【００２３】
本発明によれば、介護用搬送リフト、可動間仕切りや吊下げ型収納ボックスなどの設備機器を吊下げ支持することが可能な強度と剛性を有する根太付天井材およびそれを用いた天井構造を提供することができるといった優れた効果を発揮する。
【発明を実施するための最良の形態】
【００２４】
［第一実施形態］
本発明に係る根太付天井材およびそれを用いた天井構造を実施するための最良の第一の形態について、添付図面を参照しながら詳細に説明する。
【００２５】
まず、本実施の形態に係る根太付天井材およびそれを用いた天井構造の構成を説明する。なお、本実施の形態では、天井面に介護用搬送リフトの搬送レールを取り付けた場合を例に挙げて、根太付天井材およびそれを用いた天井構造を説明する。
【００２６】
図１は本発明に係る根太付天井材を実施するための最良の第一の形態を示した斜視図、図２は本発明に係る根太付天井材を用いた天井構造を実施するための最良の第一の形態を示した一部破断斜視図、図３は本発明に係る根太付天井材を用いた天井構造を実施するための最良の第一の形態を示した断面図である。
【００２７】
本実施の形態の説明において示す方向は、根太を基準にしており、梁材間に架け渡される根太の延びる方向を「長手方向」、根太の厚さの方向（長手方向に直交する方向）を「幅方向」、根太の高さの方向を「高さ方向」とする（図１および図２参照）。
【００２８】
図１および図２に示すように、本発明に係る根太付天井材１は、天井を形成するための部材であって、互いに対向する梁材１１（図２参照）などの構造材１０（図２参照）間に架け渡される根太２０と、天井面を構成する天井部材３０とを一体形成したことを特徴とする。
【００２９】
根太２０および天井部材３０は、アルミニウムまたはアルミニウム合金にて一体形成された押出形材２１によって構成されている。図１に示すように、根太２０は、高さ方向に長い縦長の長方形状に形成されており、中空部２２を有している。根太２０の中空部２２の内部には、水平リブ２３が形成されている。本実施の形態では、水平リブ２３は、中空部２２内に一つ（一段）形成されており、根太２０の高さ方向の中間部に位置している。水平リブ２３は、根太２０の幅方向両側の側板２４，２４同士を連結するように形成されている。なお、本実施の形態で水平リブ２３は、根太２０の高さ方向の中間部に一段だけ設けられているが、これに限られるものではない。例えば、根太２０の高さが高い場合などには、水平リブ２３を二段以上、設けるようにしてもよい（図５参照）。
【００３０】
天井部材３０は、根太２０の底面または側面からその幅方向に広がる板状部材３１にて構成されている。本実施の形態では、板状部材３１は、根太２０の底面から根太２０の幅方向両側に広がるように構成されている。この一対の板状部材３１，３１は、根太２０の側板２４に対して直角で、水平方向両側に広がって根太２０の長手方向に沿って帯状に延びるように形成されており、根太２０の底面２５の底面板２５ａとともに同一平面を形成するように構成されている。一対の板状部材３１のうち、一方の板状部材３１の先端部には、隣り合う他の根太付天井材１の天井部材３０の板状部材３１の先端部に係合する係合段差部３２が設けられている。係合段差部３２は、板状部材３１の厚さ寸法で上方にオフセットするように屈曲して構成されており、板状部材３１の厚さ寸法と同等の寸法の段差が形成されている。このような構成によって、係合段差部３２に隣接する板状部材３１の先端平板部３５が係合されたときに、先端平板部３５が係合段差部３２に重なって、天井の表面が面一になるようになっている。
【００３１】
図２に示すように、本発明に係る天井構造５は、前記構成の根太付天井材１を、根太２０の幅方向に沿って、複数並列配置させて構成されている。根太付天井材１は、梁材１１の延長方向に直交する方向で水平に延びて配置され、隣り合う梁材１１，１１間に架け渡されて固定されている。
【００３２】
本実施の形態では、図３に示すように、梁材１１は、角形鋼管１２にて構成されている。なお、梁材１１は、角形鋼管１２に限られるものではなく、他の形状の鉄骨梁、木製の梁あるいは鉄筋コンクリート製の梁などであってもよい。根太付天井材１は、断面Ｌ字状のアングル材１３を介して梁材１１に固定されている。アングル材１３は、アルミニウムまたはアルミニウム合金製の押出形材あるいは山形鋼（本実施の形態ではアルミニウムまたはアルミニウム合金製の押出形材）にて構成されている。アングル材１３は、角形鋼管１２の延長方向に沿って設けられており、その一辺（垂直部１３ａ）が角形鋼管１２の側面１２ａに沿って当接するように配置されている。アングル材１３は、ボルト１４とナット１５を介して角形鋼管１２に固定されている。ボルト１４は、アングル材１３が取り付けられる側面１２ａとは逆側の側面１２ｂから挿入されて、その先端部１４ａがアングル材１３に形成されたボルト孔（図示せず）を貫通している。そして、ボルト１４の先端部１４ａにナット１５を螺合させることで、アングル材１３が梁材１１に固定される。ボルト１４およびナット１５は、アングル材１３の長手方向に所定の間隔をあけて複数設けられている。角形鋼管１２の側面１２ｂには、ボルト１４の頭部１４ｂを収容するための凹部１６が形成されており、ボルト１４の頭部１４ｂが角形鋼管１２の側面１２ｂから突出しないように構成されている。これによって、外壁などとの取り合いにおいて、ボルト１４が干渉するのを防止できる。
【００３３】
根太付天井材１は、その両端部１ａ（図３では一端のみ図示）が、互いに対向するアングル材１３の水平部１３ｂ上にそれぞれ載置されている。根太付天井材１の端部１ａは、溶接やビス（図示せず）などの公知の固定手段で、アングル材１３の水平部１３ｂに固定されている。
【００３４】
図１に示すように、根太付天井材１は、隣接する板状部材３１の端部同士（係合段差部３２と先端平板部３５）が隙間なく突き合わせるように配置されている。一方の板状部材３１の先端平板部３５に他方の係合段差部３２が係合することで、板状部材３１の上下方向のズレを防止している。なお、本実施の形態では、板状部材３１の端部同士を隙間なく突き合わせているが、根太２０の幅方向に所定の間隔をあけて配置するようにしてもよい。この場合、係合段差部３２の板材が目地板の役目を果たすので、天井部材３０の上方が室内から見えることはない。また、目地が複数並列されてストライプ状に形成されるので、見る者に軽快な印象を与えるデザイン性の高い天井を提供できる。
【００３５】
図２に示すように、根太付天井材１の上部には、根太２０の長手方向に直交するように、床用根太４１が複数配列されている。床用根太４１の上部には、床下地材４３を介して床材４４が設けられている。床用根太４１に、ゴムなどの制振機能を有するものを用いると、上階の振動を吸収して下階への伝播を防ぐことができるので、防音効果を得ることができる。なお、根太２０の高さが高いときは、床用根太を設けずに、根太付天井材１の根太２０の上部に直接床下地材を設ける場合もある。このような場合であっても、根太２０は、剛性が高いので、上階の振動を伝えにくいので、根太付天井材１自体で防音効果を得ることはできる。
【００３６】
図３に示すように、天井面には、介護用搬送リフト５０の搬送レール５１が取り付けられている。搬送レール５１は、例えば、断面略Ｃ字状で下方に向かって開口するレール部５１ａの上端に、水平方向に広がるフランジ部５１ｂが形成されて構成されている。搬送レール５１は、アルミニウムまたはアルミニウム合金製の押出形材にて構成されており、根太２０の長手方向と直交する方向に延びるように配置されている。搬送レール５１は、フランジ部５１ｂと天井部材３０に下側からボルト（図示せず）を挿通して、天井部材３０の上側でナット（図示せず）を締め付けることで、天井面に固定される。なお、天井部材３０のボルト孔（図示せず）の位置上面に、予めナットを固定しておき、ボルトを回転させて締め付けることで、搬送レール５１を天井面に固定するようにしてもよい。これによれば、天井面の下側からの作業のみでボルトの螺合を行うことができるのでボルトの締付け作業が容易となる。ボルトおよびナットの装着位置は、天井部材３０の基端部、すなわち根太２０の近傍が好ましい。これは、装着位置が根太２０から離れるほど、天井部材３０にかかるモーメント力が大きくなるためで、根太２０に近いほど、天井部材３０の変形を小さくできる。なお、天井部材３０の先端部にボルトおよびナットを装着しても、根太２０と天井部材３０とが一体形成されているので、必要な構造強度を確保することはできる。
【００３７】
図示しないが、その他の固定構造としては、根太の底面板を厚く形成して、その底面板にねじ孔を形成して、このねじ孔にねじやボルトを螺合させることで、搬送レールを天井面に固定するようにしてもよい。これによれば、根太部分に搬送レールを固定できるので、構造的に有利であるとともに、天井面の下側からの作業でねじまたはボルトの螺合を行うことができるので固定作業が容易となる。
【００３８】
図３に示すように、搬送レール５１のレール部５１ａには、介護用搬送リフト５０の走行部５２が挿入される。走行部５２には、車輪５２ａが設けられており、この車輪５２ａが搬送レール５１のリップ部５１ｃ上を回転走行することで、介護用搬送リフト５０が搬送レール５１に沿って移動する。なお、搬送レール５１の構造は、前記構造に限られるものではないのは勿論であって、介護用搬送リフト５０の形状に応じて様々な形状のものがある。また、本実施の形態における搬送レール５１の取付方向は、一例であって、介護用搬送リフト５０の使い勝手によって決められる。例えば、根太２０の長手方向に沿って搬送レール５１を取り付けてもよい。この場合、搬送レール５１を根太２０の下部あるいは、根太２０の近傍の天井部材３０に取り付けるようにすれば、構造的に有利になる。
【００３９】
次に、前記構成の根太付天井材１を用いた天井構造５の構築手順を説明しながら、根太付天井材１および天井構造５の作用を説明する。
【００４０】
図２および図３に示すように、まず、根太付天井材１が架け渡される構造材１０である一対の梁材１１の互いに対向する側面１２ａに、ボルト１４およびナット１５を介してアングル材１３を固定する。その後、互いに対向するアングル材１３の水平部１３ｂ（図３では片側のみ図示）上に、根太付天井材１を架け渡して載置する。そして、溶接やビス（図示せず）などの公知の固定手段で、根太付天井材１をアングル材１３の水平部１３ｂに固定する。根太付天井材１は、先端平板部３５の上側に、隣接する天井部材３０の係合段差部３２を被せるように係合して、一つずつ順次取り付けていく。このとき、係合段差部３２によって、天井部材３０同士の突合せを容易に行うことができ、根太付天井材１同士の位置決めを円滑かつ確実に行うことができる。
【００４１】
根太付天井材１の取付けが完了すると、天井が完成する。ここで、根太付天井材１は、根太２０と天井部材３０とが一体形成されて構成されているので、根太２０を梁材１１間に架け渡して取り付けるだけで、天井部材３０の取付けも同時に成され、天井が形成される。したがって、既設の建物の例えば吹き抜け部などでも、梁材１１などの構造材１０があれば、容易に新たな天井を形成することができる。また、根太付天井材１を、アルミニウムまたはアルミニウム合金製の押出形材によって構成しているので、アルミニウムまたはアルミニウム合金の質感を生かして天井部材３０を表面仕上げ材としてそのまま利用することができる。したがって、従来のように、根太から吊り材を設けて、その下部に天井下地を取り付けた後に仕上げ材を取りつけるといった作業を省略することができ、施工手間と時間を大幅に低減できる。また、アングル材１３もアルミニウムまたはアルミニウム合金製の押出形材で構成されているので、天井部材３０と質感が変わりなく、天井面の統一感を得ることができる。なお、天井面は、面一で平滑に形成されることとなるので、その天上面に天井仕上げ材を別途貼り付けることも可能である。
【００４２】
次に、図３に示すように、天井面に搬送レール５１を取り付ける。搬送レール５１は、ボルトおよびナットを用いて、根太付天井材１の天井部材３０に取り付ける。このとき、根太付天井材１は、根太２０と天井部材３０とが一体形成されているので、搬送レール５１に介護用搬送リフト５０を吊り下げて利用しても、天井部材３０が根太２０から分離することはない。そして、根太２０は、アングル材１３やボルト１４およびナット１５などの高い接合強度を有する部材で、梁材１１（構造材１０）に架け渡されているので、介護用搬送リフト５０や被介護者（図示せず）の荷重を、確実に構造材１０に伝達することができる。したがって、かかる根太付天井材１は、介護用搬送リフトなどの各種設備を吊下げ支持することが可能な強度と剛性を有することとなる。
【００４３】
また、天井部材３０と根太２０とは一体であることより、介護用搬送リフト５０などの各種設備の荷重は、天井部材３０から根太２０へと円滑に伝達されるので、搬送レール５１の設置位置またはボルトおよびナットの装着位置は、根太２０の設置位置には制限されず、介護用搬送リフト５０のレイアウト設計の自由度が向上する。
【００４４】
さらに、根太付天井材１は、根太２０ごとに板状部材３１からなる天井部材３０が設けられて構成されているので、ユニット化された比較的小さくて軽量の部材となり、施工や搬送が容易となる。
【００４５】
また、根太２０は、中空部２２を有する押出形材２１にて構成されているので、根太付天井材１の軽量化が達成できるとともに、根太付天井材１が高い強度と剛性を保持することができる。さらに、押出形材２１であるので、製品精度が高くなり、隣接する根太付天井材１との接合部分（天井部材３０同士の突合せ部分）にズレや隙間が発生することはない。さらに、根太２０の中空部２２の内部には、水平リブ２３が設けられているので、根太２０の強度および剛性を効率的に高めることができる。また、根太２０の曲げ強度向上のために、根太２０の高さを高くしても、水平リブ２３によって根太２０の側板２４，２４を連結しているので、側板２４，２４の膨れや凹みなどの変形を防止できる。
【００４６】
［第二実施形態］
図４は本発明に係る根太付天井材を用いた天井構造を実施するための最良の第二の形態を示した断面図である。
【００４７】
かかる実施の形態は、前記第一の実施の形態とは、根太付天井材１と梁材１１（構造材１０）との取付構造が相違する。図４に示すように、かかる根太付天井材１は、根太２０の両端において、水平リブ２３より下側の部分が切り欠かれている。この切欠き部２６は、その上端が水平リブ２３の下面と面一に揃うように形成されている。切欠き部２６は、アングル材１３の水平部１３ｂの突出長さと略同等の寸法で根太２０の長手方向に切り欠かれている。天井部材３０の端部も、根太２０の切欠き部２６と同様に切り欠かれている。かかる根太付天井材１は、第一の実施の形態と同等形状の押出形材２１を形成した後に、両端部の切欠き部２６を形成することで製造される。
【００４８】
根太付天井材１は、切欠き部２６から露出した水平リブ２３の下面をアングル材１３の水平部１３ｂ上に載置して固定されている。水平リブ２３は、溶接やビス（図示せず）などの公知の固定手段で、アングル材１３の水平部１３ｂに固定されている。なお、その他の構成については、第一の実施の形態と同様であるので、同じ符号を付してその説明を省略する。
【００４９】
前記のように、水平リブ２３を介して根太付天井材１を構造材１０に接合すれば、位置の決まっている構造材１０に対して、複数の設置高さを選択することができる。前記構造は、特に、梁材１１の下端面よりも下側に天井面を設けたい場合に有効である。
【００５０】
［第三実施形態］
図５は本発明に係る根太付天井材を実施するための最良の第三の形態を示した断面図である。
【００５１】
かかる実施の形態は、前記第一の実施の形態とは、根太付天井材１の天井部材３０の構造が相違する。図５に示すように、かかる根太付天井材１は、天井部材３０が中空部３３を有する筒状に形成されている。本実施の形態においても、天井部材３０は、根太２０と一体形成された押出形材２１によって構成されている。中空部３３は、根太２０の幅方向に長い長方形状に形成されている。天井部材３０の一端部には天井面と面一の係合平板部３４ａが形成されており、他端部には、係合平板部３４ａの厚さ分、上方にオフセットして形成された係合段差部３４ｂが形成されている。係合段差部３４ｂは、隣り合う天井部材３０の係合平板部３４ａと係合することで、天井面が面一になるように構成されている。
【００５２】
根太２０は、第一の実施の形態の根太付天井材１よりも高さが高く、根太２０の曲げ強度を向上させている。この場合、水平リブ２３は、二段設けられており、側板２４の変形を防止している。
【００５３】
前記のように、天井部材３０を、中空部３３を有する筒状に形成したことによって、天井部材３０は、軽量でかつ、高い強度と剛性を保持することができ、根太付天井材１全体の強度と剛性を大幅に高めることができる。また、かかる構成によれば、天井部材３０の強度と剛性が大幅に高まるので、重量の大きい介護用搬送リフトの搬送レールなどを、天井部材３０の先端に取り付けたとしても、天井部材３０にかかるモーメント力に対する抵抗力は大きいので、天井部材３０が変形することはない。
【００５４】
［第四実施形態］
図６は本発明に係る根太付天井材を実施するための最良の第四の形態を示した断面図、図７は図６のＡ−Ａ線断面図、図８は本発明に係る根太付天井材を実施するための最良の第四の形態を示した一部破断斜視図、図９は可動間仕切りの室内での移動状態を示した平面図である。
【００５５】
かかる実施の形態では、天井面に可動間仕切りを取り付けた場合を例に挙げて説明する。
【００５６】
図６乃至図８に示すように、かかる根太付天井材１は、第一の実施の形態と同様に、根太２０と天井部材３０とが、アルミニウムまたはアルミニウム合金製の押出形材によって一体形成されている。ところで、本実施の形態では、根太２０の下部に、可動間仕切り５４のガイドレール５５が形成されている。ガイドレール５５は、根太２０の長手方向（根太付天井材１の押出方向）に延びて形成されており、根太２０および天井部材３０と一体形成されている。ガイドレール５５は、断面略Ｃ字状に形成され、下方に向かって開口するように構成されている。ここで、ガイドレール５５の上面板５５ｄは、根太２０の底面板２５ａと共通部材となっている（図６の部分拡大図参照）。なお、ガイドレール５５は、可動間仕切り５４用に限られるものではなく、例えば、図３に示した介護用搬送リフト５０用の搬送レールとしても利用することができる。
【００５７】
ガイドレール５５内には、可動間仕切り５４を移動自在に支持する間仕切りレール５６を把持する把持部材５７が設けられている。把持部材５７は、上部に水平方向に広がるフランジ部５７ａが形成されており、フランジ部５７ａは、ガイドレール５５のレール部５５ａに挿入され、レール部５５ａの下端のリップ部５５ｂに係止される。リップ部５５ｂに係止する部分のフランジ部５７ａの下面の、車輪５７ｂが設けられており、把持部材５７は、ガイドレール５５に沿って走行可能に構成されている。フランジ部５７ａには中空部が形成されている。この中空部に補強リブを設けるようにしてもよい。なお、フランジ部５７ａに車輪５７ｂを設けることなく、フランジ部５７ａとリップ部５５ｂとが摺動可能な構成としてもよい。フランジ部５７ａの下部には、間仕切りレール５６を挟み込む一対の把持板５７ｃが形成されている。把持板５７ｃは、ガイドレール５５の下部の開口部から下方に突出している。一対の把持板５７ｃは、ガイドレール５５の延出方向（根太２０の長手方向）に間仕切りレール５６の幅と同等の間隔をあけて平行に配置されている。
【００５８】
間仕切りレール５６は、断面略Ｃ字状に形成され、下方に向かって開口するように構成されている（図７の部分拡大図および図８参照）。間仕切りレール５６は、ガイドレール５５と直交する方向で水平に延びて配置されている。ガイドレール５５は、間仕切りレール５６の延出方向で所定の間隔（例えば、９００ｍｍ程度（ガイドレール５５間に３つの根太付天井材１を設けた場合のピッチ）図６参照）をあけて形成されている。間仕切りレール５６は、ガイドレール５５と交差する部分ごとに、ガイドレール５５内に設けられている把持部材５７で支持されている。間仕切りレール５６は、把持部材５７あるいはフランジ部５７ａの底面にビス（図示せず）などで固定されている。なお、隣り合うガイドレール５５の距離は、前記のピッチに限られるものではなく、可動間仕切り５４の重量が大きい場合には、根太付天井材１の根太２０毎に、ガイドレール５５を形成してもよい。
【００５９】
可動間仕切り５４は、間仕切りレール５６に移動自在に吊下げ支持されている。可動間仕切り５４は、所定の長さ（例えば、９００ｍｍ程度（ガイドレール５５の形成ピッチと同等であるのが好ましい））を有している。可動間仕切り５４の上部両端には、間仕切りレール５６のレール部５６ａに挿入される走行部５４ｂが形成されている。走行部５４ｂには車輪５４ｃが設けられており、車輪５４ｃは、レール部５６ａの下端のリップ部５６ｂに回転走行自在に係止されている。走行部５４ｂは、可動間仕切り５４に対して回動自在に取り付けられている。
【００６０】
図８および図９に示すように、間仕切りレール５６は、可動間仕切り５４の長さと同等の間隔をあけて、平行に二本設けられている。この間仕切りレール５６，５６は、室内の一の壁面からこれに対向する壁面まで延びるように設けられている（図９参照）。また、一対の間仕切りレール５６，５６間には、これら間仕切りレール５６，５６を互いに連結する連結間仕切りレール５６ｃが設けられている。連結間仕切りレール５６ｃは、間仕切りレール５６に直交して連結されている。連結間仕切りレール５６ｃは、間仕切りレール５６と同等の断面形状を呈しており、可動間仕切り５４の走行部５４ｂが、一対の間仕切りレール５６，５６間で、移動可能なように構成されている。
【００６１】
可動間仕切り５４は、使用時には、間仕切りレール５６の延出方向に沿うように配置され、一方、非使用時には、一対の間仕切りレール５６，５６間に架け渡されて支持され、室内の端部に重ねられて収容される（図９参照）。可動間仕切り５４の方向転換は、一方の走行部５４ｂ（図８では図示せず）を連結間仕切りレール５６ｃ内に走行させることで行う（図８および図９の斜めに配置された可動間仕切り５４を参照）。
【００６２】
前記構成によれば、可動間仕切り５４の荷重は、間仕切りレール５６、把持部材５７、ガイドレール５５および根太２０を介して、構造材（図示せず）に伝達されるので、可動間仕切り５４を天井面で支持することができる。本実施の形態では、前記の作用効果のほかに、下記のような作用効果も得られる。図９の太線にて囲んだ室内において、可動間仕切り５４は、間仕切りレール５６に沿って走行移動するとともに、間仕切りレール５６は、ガイドレール５５に沿って走行移動することで、可動間仕切り５４は、左右前後に移動自在となる。すなわち、可動間仕切り５４は、室内のどの部分でも配置させることができ、室内の区画レイアウトを自由に行うことができる。なお、連結間仕切りレール５６ｃの長さと可動間仕切り５４の長さは略同一であるが、連結間仕切りレール５６ｃの長さを変えれば、可動間仕切り５４のサイズも変えることができる。この場合、把持部材５７はガイドレール５５に沿って走行できるので、天井に形成されているガイドレール５５は、変更する必要はない。
【００６３】
［第五実施形態］
図１０は本発明に係る根太付天井材を実施するための最良の第五の形態を示した断面図である。
【００６４】
かかる実施の形態は、図１０に示すように、ガイドレール５５が、天井内に収容されるように構成された点で前記第四の実施の形態と相違する。
【００６５】
本実施の形態においても、ガイドレール５５は、アルミニウムまたはアルミニウム合金製の押出形材によって、根太２０および天井部材３０と一体形成されている。ガイドレール５５は、断面略Ｃ字状に形成され、下方に向かって開口するように構成されている。ここで、ガイドレール５５は、レール部５５ａの下端のリップ部５５ｂの下端面が、天井部材３０の下面と面一に形成されている。すなわち、室内から天井を見上げると、ガイドレール５５の下部の開口部５５ｃが見えるだけであり、外観がすっきりしたデザイン性の高い天井構造５を提供できる。
【００６６】
なお、本実施の形態では、天井部材３０は、中空部３３を有する形状となっているので、強度および剛性が高い。なお、天井部材３０は、中空部３３を有さない平板形状であってもよいのは勿論である。なお、その他の構成については、第四の実施の形態と同様であるので、同じ符号を付してその説明を省略する。
【００６７】
［第六実施形態］
図１１は本発明に係る根太付天井材を実施するための最良の第六の形態を示した断面図、図１２は図１１のＢ−Ｂ線断面図、図１３は本発明に係る根太付天井材を実施するための最良の第六の形態を示した一部破断斜視図である。
【００６８】
かかる実施の形態では、天井面に可動式の吊下げ型収納ボックスを取り付けた場合を例に挙げて説明する。
【００６９】
図１１乃至図１３に示すように、本実施の形態に係る根太付天井材１は、図６に示した第四の実施の形態と同等の構成である。根太付天井材１の下部に形成されたガイドレール５５内には、図６の第四の実施の形態と同等の構成の把持部材５７が、走行移動自在に挿入されている。本実施の形態では、把持部材５７は、下部に設けられている一対の把持板５７ｃで、吊下げ型収納ボックス６０を把持する。具体的には、把持板５７ｃは、吊下げ型収納ボックス６０の側板６１の上端面を、一対の把持板５７ｃで上方から挟み込んでビスなどの固定手段（図示せず）によって固定することで、吊下げ型収納ボックス６０を固定している（図１１の部分拡大図参照）。本実施の形態では、ガイドレール５５は、吊下げ型収納ボックス６０が取り付けられる範囲の根太付天井材１に設けられており、吊下げ型収納ボックス６０は、隣り合う根太２０間距離のピッチで、把持されている。なお、吊下げ型収納ボックス６０の把持部材５７の設置ピッチ（吊下げ型収納ボックス６０の把持ピッチ）は、吊下げ型収納ボックス６０の重量や積載荷重に応じて適宜決定すればよく、前記荷重が小さい場合には、把持部材５７の設置ピッチを大きくして、把持部材５７の取付個数を低減することができる。
【００７０】
前記構成によれば、吊下げ型収納ボックス６０を直接天井に取り付けることができるので、室内空間の上部を有効利用することができ、床面に収納ボックスを設置する必要はない。さらに、吊下げ型収納ボックス６０をガイドレール５５に沿って移動させることができるので、室内のレイアウトの自由度を高めることができる。
【００７１】
なお、本実施の形態では、把持部材５７に吊下げ型収納ボックス６０を直接固定するようにしているが、把持部材５７と吊下げ型収納ボックス６０との間に、第四の実施の形態の間仕切りレール５６と同様の構成のレールを介設すれば、図１３の白抜き矢印に示すように、吊下げ型収納ボックス６０を左右前後に移動させることが可能となる。
【００７２】
［第七実施形態］
図１４は本発明に係る根太付天井材を実施するための最良の第七の形態を示した断面図である。
【００７３】
図１４に示すように、かかる実施の形態は、天井部材３０が、根太２０に対して斜めに傾斜して形成されている点で前記第一の実施の形態と相違する。根太２０は、垂直に形成されており、底面板２５ａは、天井部材３０の傾斜に合わせて、天井部材３０の下面と面一になるように傾斜して形成されている。なお、その他の構成については、前記第一の実施の形態と同様であるので、同じ符号を付して、その説明を省略する。
【００７４】
前記構成によれば、容易な施工で傾斜した天井を提供することができ、室内のデザイン性を高めることができる。根太付天井材１は、押出形材にて形成されているので、天井部材３０を傾斜させる構造であっても、容易な加工で精度の高いものを形成できる。また、型の形状を変更するだけで、天井部材３０を波板形状とするなど、種々の形状の根太付天井材１を提供でき、デザイン性を高めることができる。
【００７５】
以上、本発明を実施するための最良の形態について説明したが、本発明は前記実施の形態に限定されず、本発明の趣旨を逸脱しない範囲で適宜設計変更が可能である。例えば、本発明の根太付天井材１は、アルミニウム製やアルミニウム合金製に限られるものではなく、スチール、ステンレス、チタンや銅など他の材質であっても適用できるのは勿論である。
【００７６】
また、前記実施の形態では、天井部材３０は、根太２０の底面に繋がって広がるようになっているが、これに限られるものではなく、天井部材を根太の側面から広がるように形成してもよい。これによれば、根太の底面が突条となり、天井面に平行なラインを形成でき、デザイン性を高めることができる。
【００７７】
さらに、前記実施の形態では、根太付天井材１は、根太２０の底面２５から幅方向両側に天井部材３０が広がる断面逆Ｔ字状に形成されているが、これに限られるものではない。根太付天井材は、根太の底面から幅方向一方に広がる断面Ｌ字状に形成してもよい。
【図面の簡単な説明】
【００７８】
【図１】本発明に係る根太付天井材を実施するための最良の第一の形態を示した斜視図である。
【図２】本発明に係る根太付天井材を用いた天井構造を実施するための最良の第一の形態を示した一部破断斜視図である。
【図３】本発明に係る根太付天井材を用いた天井構造を実施するための最良の第一の形態を示した断面図である。
【図４】本発明に係る根太付天井材を用いた天井構造を実施するための最良の第二の形態を示した断面図である。
【図５】本発明に係る根太付天井材を実施するための最良の第三の形態を示した断面図である。
【図６】本発明に係る根太付天井材を実施するための最良の第四の形態を示した断面図である。
【図７】図６のＡ−Ａ線断面図である。
【図８】本発明に係る根太付天井材を実施するための最良の第四の形態を示した一部破断斜視図である。
【図９】可動間仕切りの室内での移動状態を示した平面図である。
【図１０】本発明に係る根太付天井材を実施するための最良の第五の形態を示した断面図である。
【図１１】本発明に係る根太付天井材を実施するための最良の第六の形態を示した断面図である。
【図１２】図１１のＢ−Ｂ線断面図である。
【図１３】本発明に係る根太付天井材を実施するための最良の第六の形態を示した一部破断斜視図である。
【図１４】本発明に係る根太付天井材を実施するための最良の第七の形態を示した断面図である。
【符号の説明】
【００７９】
１      根太付天井材
５      天井構造
１０    構造材
１１    梁材
２０    根太
２１    押出形材
２２    中空部
２３    水平リブ
２５    底面
３０    天井部材
３１    板状部材
３２    係合段差部
３３    中空部
３４ｂ  係合段差部
【図１】
0004556858.tif 000002
【図２】
0004556858.tif 000003
【図３】
0004556858.tif 000004
【図４】
0004556858.tif 000005
【図５】
0004556858.tif 000006
【図６】
0004556858.tif 000007
【図７】
0004556858.tif 000008
【図８】
0004556858.tif 000009
【図９】
0004556858.tif 000010
【図１０】
0004556858.tif 000011
【図１１】
0004556858.tif 000012
【図１２】
0004556858.tif 000013
【図１３】
0004556858.tif 000014
【図１４】
0004556858.tif 000015